(57)【要約】【課題】作業漏れや遅れを防止し且つ現場作業者の負担が少ない設備メンテナンス計画支援システムを得る。【解決手段】契約設備の基礎情報を登録する号機基礎情報作成システムと、基礎情報には含まれない固有情報を登録する個別保守設計作成システムと、基礎情報および固有情報をまとめて点検作業の情報として保存する号機カルテシステムと、通常のメンテナンス作業よりも時間を要する部品取替などの大掛かりな作業を登録する対象修理作業登録システムと、通常のメンテナンス作業には含まれない契約設備の品質を更に高める改善作業を登録する対象品質改善作業登録システムと、点検作業の情報、機能維持修理作業の情報、品質改善作業の情報をまとめて号機カルテを作成し、号機カルテを画面上に表示する施工予定月登録システムと、を有し、施工予定月登録システムは、外部から入力される月で施工しようとしたとき負荷条件が満足した場合該月を施工予定月とする。【選択図】図１
2011051749.tif 000002
【特許請求の範囲】
【請求項１】
契約設備の基礎情報を登録する号機基礎情報作成システムと、
上記基礎情報には含まれない上記契約設備固有の固有情報を登録する個別保守設計作成システムと、
上記基礎情報および上記固有情報をまとめて点検作業の情報として保存する号機カルテシステムと、
通常のメンテナンス作業よりも時間を要する部品取替などの大掛かりな作業を登録する対象修理作業登録システムと、
通常のメンテナンス作業には含まれない上記契約設備の品質を更に高める改善作業を一括して登録する対象品質改善作業登録システムと、
上記点検作業の情報、上記機能維持修理作業の情報、上記品質改善作業の情報をまとめて号機カルテを作成し、上記号機カルテを画面上に表示する施工予定月登録システムと、を有し、
上記施工予定月登録システムは、外部から入力される月で施工しようとしたとき負荷条件が満足した場合該月を施工予定月とすることを特徴とする設備メンテナンス計画支援システム。
【請求項２】
上記負荷条件は、上記契約設備の担当者、該担当者以外の人、および係全体の負荷に対して予め定められたものであることを特徴とする請求項１に記載の設備メンテナンス計画支援システム。
【請求項３】
上記施工予定月登録システムから送られた全ての契約設備の号機カルテのデータを用いて訪問計画を作成する編成表作成支援システムを有することを特徴とする請求項１または２に記載の設備メンテナンス計画支援システム。
【発明の詳細な説明】
【技術分野】
【０００１】
この発明は、昇降機などの設備メンテナンス計画の立案を支援する設備メンテナンス計画支援システムに関するものである。
【背景技術】
【０００２】
設備メンテナンス計画は生涯計画、年間計画、月間計画および日々の業務計画として立案され、その計画に基づいて実行されている。メンテナンス作業には運行状態を五感主体で確認する機能点検作業、経年や起動頻度に応じて分解手入れする保全作業、法で定められている年１回の検査作業、劣化度合いに応じて実施する部品交換、および製品品質向上のための品質改善作業など、様々な作業が輻輳している。
そして、どの作業をいつやるかは現場担当者が現場状況、停止可能時間帯や実際の機器状況を見て判断し、計画している（例えば、特許文献１参照）。
【先行技術文献】
【特許文献】
【０００３】
【特許文献１】特開２００７−１０６５２５号公報
【発明の概要】
【発明が解決しようとする課題】
【０００４】
しかし、これら数多くの作業を最適なタイミングで実施するため、各作業の抽出や所要時間などの情報などの情報収集に多くの時間を掛けなければならず、抽出漏れやお客様事情による再計画などが現場担当者の大きな負担になっている。
【０００５】
この発明は、前記のような課題を解決するためになされたものであり、作業漏れや遅れを防止し且つ現場作業者の負担が少ない設備メンテナンス計画支援システムを得ることを目的とする。
【課題を解決するための手段】
【０００６】
この発明に係る設備メンテナンス計画支援システムは、契約設備の基礎情報を登録する号機基礎情報作成システムと、上記基礎情報には含まれない上記契約設備固有の固有情報を登録する個別保守設計作成システムと、上記基礎情報および上記固有情報をまとめて点検作業の情報として保存する号機カルテシステムと、通常のメンテナンス作業よりも時間を要する部品取替などの大掛かりな作業を登録する対象修理作業登録システムと、通常のメンテナンス作業には含まれない上記契約設備の品質を更に高める改善作業を一括して登録する対象品質改善作業登録システムと、上記点検作業の情報、上記機能維持修理作業の情報、上記品質改善作業の情報をまとめて号機カルテを作成し、上記号機カルテを画面上に表示する施工予定月登録システムと、を有し、上記施工予定月登録システムは、外部から入力される月で施工しようとしたとき負荷条件が満足した場合該月を施工予定月とする。
【発明の効果】
【０００７】
この発明に係る設備メンテナンス計画支援システムは、契約設備毎に施工予定月が未定の機能維持修理作業や品質改善作業を含み基礎情報、固有情報など全体の設備メンテナンス計画と担当者などの負荷とを一旦号機カルテとして表示し、表示された号機カルテを見ながら負荷の偏りがでないように施工予定月を決定するので、必要な作業を抽出する時間も削減されてフィールドエンジニアの負荷を軽減することができるという効果を奏する。
【図面の簡単な説明】
【０００８】
【図１】この発明の実施の形態１に係る設備メンテナンス計画支援システムの構成を示す機能ブロック図である。
【図２】施工予定月を入力する前の号機カルテの例である。
【図３】図２の号機カルテに施工予定月を入力した後の号機カルテである。
【図４】訪問計画表の例である。
【発明を実施するための形態】
【０００９】
以下、本発明の設備メンテナンス計画支援システムの好適な実施の形態につき図面を用いて説明する。
実施の形態１．
図１は、この発明の実施の形態１に係る設備メンテナンス計画支援システムの構成を示す機能ブロック図である。
この発明の実施の形態１に係る設備メンテナンス計画支援システム１は、号機基礎情報作成システム２、個別保守設計作成システム３、号機カルテシステム４、対象修理作業登録システム５、機能維持システム６、対象品質改善作業登録システム７、品質改善システム８、施工予定月登録システム９、および、編成表作成支援システム１０を有する。
【００１０】
号機基礎情報作成システム２は、設備メンテナンスを受注したときに契約設備（号機）のメンテナンスの基礎となる基礎情報を登録する。基礎情報は、機種、訪問月、検査月など契約設備の標準的なメンテナンス計画、すなわち作業項目であり、号機基礎情報作成システム２はその登録した基礎情報を号機カルテシステム４へ送る。
個別保守設計作成システム３は、号機毎の基礎情報には含まれないその契約設備固有の固有情報を登録する。そして、個別保守設計作成システム３は登録された固有情報を号機カルテシステム４へ送る。
【００１１】
号機カルテシステム４は、号機基礎情報作成システム２から送られた基礎情報および個別保守設計作成システム３から送られた固有情報をまとめて点検作業の情報として保存する。
【００１２】
対象修理作業登録システム５は、契約設備を担当している担当者が個別に、通常のメンテナンス作業よりも時間を要する部品取替などの大掛かりな作業（以下、「機能維持修理作業」と称す。）を登録する。そして、登録された機能維持修理作業の情報、すなわち設備番号、コード、件名、作業時間を機能維持システム６に送る。
機能維持システム６は、対象修理作業登録システム５から送られた機能維持修理作業の情報を保存する。
【００１３】
対象品質改善作業登録システム７は、本社や支社の品質管理部門が、通常のメンテナンス作業には含まれない製品の品質を更に高める改善作業（以下、「品質改善作業」と称す。）を一括して登録する。そして、対象品質改善作業登録システム７登録された品質改善作業の情報、すなわち設備番号、コード、件名、作業時間を品質改善システム８に送る。
品質改善システム８は、対象品質改善作業登録システム７から送られた品質改善作業の情報を保存する。
【００１４】
施工予定月登録システム９は、号機カルテシステム４から点検作業の情報を取込む。
また、施工予定月登録システム９は、機能維持システム６から機能維持修理作業の情報を取込む。
また、施工予定月登録システム９は、品質改善システム８から品質改善作業の情報を取込む。
【００１５】
そして、施工予定月登録システム９は、契約設備毎に、点検作業の情報、機能維持修理作業の情報、品質改善作業の情報をまとめて号機カルテを作成し、号機カルテを画面上に表示する。
号機カルテには、図２に示すように、作業毎に、作業種別、作業項目、作業内容、施工予定月、年作業時間合計が一行の中で表示される。なお、作業種別が部品取替と品質対策の作業には、機能維持システム６から送り込まれる情報には施工予定月が含まれていないし、品質改善システム８から送り込まれる情報にも施工予定月が含まれていないので、施工予定月が表示されない。
また、号機カルテには、月毎の月作業時間合計、時間外の本人負荷、時間外の他作業者負荷、係全体負荷、顧客制約が表示される。
施工予定月登録システム９は、画面に表示した号機カルテの作業種別が部品取替および品質対策の施工予定月の欄は入力待ちの状態で待機している。
【００１６】
契約設備を担当している担当者は、画面に表示されている号機カルテを見て、施工予定月を決定し、該当する施工予定月の欄に入力する。施工予定月の決定では、号機カルテに表示されている年作業時間合計、時間外の本人負荷、時間外の他作業者負荷、係全体負荷、顧客制約を考慮して決定する。
例えば、図２に表示されている号機カルテが画面に表示されている契約設備に関して取替作業１を６月、取替作業２を９月、品質対策１を４月、品質対策２を２月に施工するように予定する。そして、該当する欄に丸印「○」を入力する。
【００１７】
施工予定月登録システム９は、「○」が入力された月の作業時間を合計して月作業時間合計を更新し、図３に示すような更新された号機カルテを表示する。
そこで、契約設備を担当している担当者は、更新された号機カルテを見ながら時間外の本人負荷、時間外の他作業者負荷、係全体負荷が条件を満足しているか否かを確認する。
そして、満足することを確認されたら、施工予定月登録システム９は、取替作業１と取替作業２の施工予定月を機能維持システム６に、品質対策１と品質対策２の施工予定月を品質改善システム８に送る。
また、施工予定月登録システム９は、情報が更新された号機カルテの情報を編成表作成支援システム１０に送る。
【００１８】
編成表作成支援システム１０は、施工予定月登録システム９から送られた全ての契約設備の号機カルテのデータを用いて訪問計画を作成し、図４に示すように訪問予定者毎の訪問計画表を出力する。
訪問計画表には、予定日、開始時刻、終了時刻、設備番号、建物名称、機種、作業内容が含まれている。
【００１９】
また、時間外の本人負荷、時間外の他作業者負荷、係全体負荷が条件を満足していないときには、施工予定月を変更して号機カルテを更新することを時間外の本人負荷、時間外の他作業者負荷、係全体負荷が条件を満足するまで繰り返す。
【００２０】
この発明の実施の形態１に係る設備メンテナンス計画支援システム１は、契約設備毎に施工予定月が未定の機能維持修理作業や品質改善作業を含み基礎情報、固有情報など全体の設備メンテナンス計画と担当者などの負荷とを一旦号機カルテとして表示し、表示された号機カルテを見ながら負荷の偏りがでないように施工予定月を決定するので、必要な作業を抽出する時間も削減されてフィールドエンジニアの負荷を軽減することができる。
【００２１】
また、契約設備に関する基礎情報、固有情報、機能維持修理作業や品質改善作業の情報が一括して表示されるので、作業漏れや遅れを防止し、契約設備の機器品質を向上することができる。
また、自身を含む担当者の負荷が偏らないように施工予定月を決めるので、年間での作業負荷を平準化することができる。
【符号の説明】
【００２２】
１  設備メンテナンス計画支援システム、２  号機基礎情報作成システム、３  個別保守設計作成システム、４  号機カルテシステム、５  対象修理作業登録システム、６  機能維持システム、７  対象品質改善作業登録システム、８  品質改善システム、９  施工予定月登録システム、１０  編成表作成支援システム。
【図１】
2011051749.tif 000003
【図２】
2011051749.tif 000004
【図３】
2011051749.tif 000005
【図４】
2011051749.tif 000006